(57)【要約】    【課題】  軟水器におけるイオン交換樹脂粒子の軟水化能力を回復させる塩水を生成するための塩タンクへの塩補給時の水漏れを防止する。    【解決手段】  塩タンク１１７内に連通するように空気流入弁１２２を設け、記塩タンク内に残留する水をエゼクタ１１９によって吸い出して排水するように該エゼクタの高圧噴射ノズル１１９ｃに水道水を供給する排水電磁弁１２３を設ける。【選択図】  図４
2005261991.tif 000002
【特許請求の範囲】
【請求項１】
軟水化給水電磁弁から供給する水道水をイオン交換樹脂粒子を内蔵した軟水化槽を通過させて該水道水に含まれる硬度成分を前記イオン交換樹脂粒子に吸着させることによって軟水化して給水し、塩を投入して密封された塩タンクに再生給水電磁弁から水道水を供給して生成した再生塩水を該塩タンクから水道水圧で押し出して前記軟水化槽を通過させることによって該軟水化槽内の前記イオン交換樹脂粒子の硬度成分吸着能力を回復させる構成の軟水供給装置において、
前記塩タンク内に連通するように空気流入弁を設け、
前記塩タンクと軟水化槽の間の水路の途中に、低圧吸込み口を塩タンクからの水路に接続し、吐出口を塩水給水路逆止弁を介して軟水化槽への水路に接続し、高圧噴射ノズルを水道水を供給する排水電磁弁への水路に接続したエゼクタを設置し、
前記塩タンク内に残留する水を前記エゼクタによって吸い出して排水するように前記高圧噴射ノズルに水道水を供給するように前記排水電磁弁を制御する制御装置を設けたことを特徴とする軟水供給装置。
【請求項２】
請求項１において、前記軟水化給水電磁弁と軟水化槽と塩タンクと再生給水電磁弁と空気流入弁と逆止弁と排水電磁弁とエゼクタと制御装置を軟水器外箱内に設置し、前記塩タンクは、前記軟水器外箱の上壁に設けた穴から箱外に突出させた塩投入口と、箱外において前記塩投入口に着脱可能な塩投入キャップを備えたことを特徴とする軟水供給装置。
【請求項３】
請求項２において、前記制御装置は、軟水化給水運転指示ボタンスイッチと再生指示ボタンスイッチと再生告知ランプを実装した操作盤を備え、この操作盤は、前記軟水器外箱の側壁の内側に取り付けて前記軟水化給水運転指示ボタンスイッチと再生指示ボタンスイッチと再生告知ランプを箱外に突出または露出するように設置したことを特徴とする軟水供給装置。
【発明の詳細な説明】
【技術分野】
【０００１】
本発明は、水道水に含まれる硬度成分を除去（減量）することによって軟水化して給水する軟水供給装置に関する。
【背景技術】
【０００２】
軟水供給装置は、水道水をイオン交換樹脂粒子層を設置した軟水化槽を通過させることによって該水道水に含まれる硬度成分を該イオン交換樹脂粒子に吸着させて軟水化して給水する構成である。軟水化水量が増加するとイオン交換樹脂粒子の硬度成分吸着能力（軟水化能力）が低下することから、このイオン交換樹脂粒子の軟水化能力を回復させるために、イオン交換樹脂粒子に塩水を作用させる再生処理を行うことが必要となる。
【０００３】
この軟水供給装置の受水先は、屋内の水道給水管であり、軟水化した水の供給先は、蛇口やシャワーヘッド等への給水管であり、再生処理における塩水の排水先は、下水への排水管である。
【０００４】
【特許文献１】特開２０００−７０９３１号公報
【発明の開示】
【発明が解決しようとする課題】
【０００５】
このような従来の軟水供給装置は、各種の洗面（洗髪）設備などに付設して使用するのに好適であるが、イオン交換樹脂粒子の軟水化能力回復のために軟水化槽に供給する塩水は、食塩を入れた塩容器に水道水を供給して生成する構成であり、塩容器に食塩を入れる（補充する）ときには該塩容器から水が溢れ出ないように該塩容器内に残水が存在しないようにすることが望ましい。
【０００６】
しかしながら、軟水供給装置を洗面台（洗面器）よりも低い位置（洗面器の下）に設置する構成では、軟水供給装置（特に塩容器）内の水を空にするような排水構成とすることが困難である。
【０００７】
本発明の目的は、イオン交換樹脂粒子の軟水化能力を回復させる塩水を生成するための塩容器（塩タンク）への塩の補給を容易にすることにある。具体的には、塩タンクの塩補給口（塩投入口）を開放したときに該塩タンクからの水漏れを防止することにある。
【課題を解決するための手段】
【０００８】
本発明は、軟水化給水電磁弁から供給する水道水をイオン交換樹脂粒子を内蔵した軟水化槽を通過させて該水道水に含まれる硬度成分を前記イオン交換樹脂粒子に吸着させることによって軟水化して給水し、塩を投入して密封された塩タンクに再生給水電磁弁から水道水を供給して生成した再生塩水を該塩タンクから水道水圧で押し出して前記軟水化槽を通過させることによって該軟水化槽内の前記イオン交換樹脂粒子の硬度成分吸着能力を回復させる構成の軟水供給装置において、
前記塩タンク内に連通するように空気流入弁を設け、
前記塩タンクと軟水化槽の間の水路の途中に、低圧吸込み口を塩タンクからの水路に接続し、吐出口を塩水給水路逆止弁を介して軟水化槽への水路に接続し、高圧噴射ノズルを水道水を供給する排水電磁弁への水路に接続したエゼクタを設置し、
前記塩タンク内に残留する水を前記エゼクタによって吸い出して排水するように前記高圧噴射ノズルに水道水を供給するように前記排水電磁弁を制御する制御装置を設けたことを特徴とする。
【発明の効果】
【０００９】
本発明の軟水供給装置は、塩タンク内に連通するように空気流入弁を設け、塩タンク内に残留する水をエゼクタによって吸い出して排水するように構成したので、塩タンクへ塩を補給するために該塩タンクの塩投入口を開放したときに該塩タンクからの水漏れを防止することができる。
【発明を実施するための最良の形態】
【００１０】
本発明の軟水供給装置の最良の実施形態は、
軟水化給水電磁弁から供給する水道水をイオン交換樹脂粒子を内蔵した軟水化槽を通過させて該水道水に含まれる硬度成分を前記イオン交換樹脂粒子に吸着させることによって軟水化して給水し、塩を投入して密封された塩タンクに再生給水電磁弁から水道水を供給して生成した再生塩水を該塩タンクから水道水圧で押し出して前記軟水化槽を通過させることによって該軟水化槽内の前記イオン交換樹脂粒子の硬度成分吸着能力を回復させる構成の軟水供給装置において、
前記塩タンクは、軟水器外箱の上壁に設けた穴から箱外に突出させた塩投入口と、箱外において前記塩投入口に着脱可能な塩投入キャップを備え、
前記塩タンク内に連通するように空気流入弁を設け、
前記塩タンクと軟水化槽の間の水路の途中に、低圧吸込み口を塩タンクからの水路に接続し、吐出口を塩水給水路逆止弁を介して軟水化槽への水路に接続し、高圧噴射ノズルを水道水を供給する排水電磁弁への水路に接続したエゼクタを設置し、
前記塩タンク内に残留する水を前記エゼクタによって吸い出して排水するように前記高圧噴射ノズルに水道水を供給するように前記排水電磁弁を制御する制御装置を設けた構成とする。
【実施例１】
【００１１】
この実施例１は、美容室における洗面器の下に設置してシャワーヘッドに給水するように構成した軟水供給装置であり、イオン交換樹脂粒子層を内蔵した軟水化槽に水道水を通して軟水化して給水する軟水化給水系と、塩タンク内の塩を溶かして生成した再生塩水を前記軟水化槽に通してイオン交換樹脂粒子の軟水化能力を回復させる再生系と、塩タンク内の残水を排出する残水排水系と、非常時に水道水をそのまま通過させて直に給水するバイパス給水系を備える。
【００１２】
図１は、この実施例１における軟水供給装置を設置した美容室の洗面設備の側面図、図２は、この実施例１における軟水供給装置の配管図、図３は、実施例１の軟水供給装置における軟水化槽の縦断側面図、図４は、実施例１の軟水供給装置における再生給水系の配管構造図、図５は、実施例１の軟水供給装置における制御系のブロック図、図６は、実施例１の軟水供給装置における構成部品配置構造図、図７は、実施例１の軟水供給装置における軟水給水時のタイムチャート（ａ）と再生時のタイムチャートである。
【００１３】
図１において、美容室は床１と壁２によって区画され、壁２には、洗面器３と鏡４が設置されている。洗面器３に設けた止水栓５の入水口５ａは、屋内の水道給水管６から受水するように接続され、洗面器３の排水口３ａは、下水への排水管７に接続されている。
【００１４】
軟水供給装置の主体である軟水器１００は、洗面器３の下側の空間に収容するように位置させて床１上に設置し、水道水受水口１０１を軟水器給水ホース１０２を介して前記止水栓５の出水口５ｂに接続し、軟水出水口１０３には、シャワーヘッド８に連なるシャワー給水ホース９を接続する。洗面器３と止水栓５とシャワーヘッド８とシャワー給水ホース９は、美容室に既設のものを使用することができる。
【００１５】
軟水器１００は、詳しくは後述するが、イオン交換樹脂粒子層を内蔵した軟水化槽と再生塩水を生成して前記軟水化槽に供給する塩タンクと各種の水路管や弁や制御装置などを軟水器外箱内に収容するように備える。
【００１６】
このように美容室に設置した軟水供給装置は、軟水給水状態では、止水栓５の操作レバー５ｃを開放方向に操作して止水栓５を開状態とすることによって、水道給水管６の水道水が軟水器給水ホース１０２を通して軟水器１００の水道水受水口１０１に流入する。軟水器１００に流入した水道水は、軟水器１００内の軟水化槽を通過する間に該軟水化槽内のイオン交換樹脂粒子層に触れることによって硬度成分が吸着されて軟水化し、軟水出水口１０３からシャワー給水ホース９に供給されてシャワーヘッド８から噴出する。
【００１７】
そして、再生状態では、止水栓５の操作レバー５ｃを操作して止水栓５を開状態とすることによって、水道給水管６の水道水を軟水器給水ホース１０２を通して軟水器１００の水道水受水口１０１に流入させる。軟水器１００に流入した水道水は、軟水器１００内の塩タンクを通過させて該塩タンク内の塩を溶かして再生塩水とし、この再生塩水を水道水圧で押し出して前記軟水化槽に供給することによって該軟水化槽内のイオン交換樹脂粒子層に触れさせてイオン交換樹脂粒子の硬度成分着能力を回復させ、その後、再生塩水は軟水出水口１０３から押し出されてシャワー給水ホース９を通してシャワーヘッド８から流出して洗面器３内に排水される。
【００１８】
このように機能する軟水器１００内の具体的な配管構造を図２〜図４を参照して説明する。
【００１９】
水道水受水口１０１は、手動操作型の三方弁１０４の入水口１０４ａに接続する。この三方弁１０４の第１の出水口１０４ｂは、軟水化給水系および再生系に給水する通常給水路管１０５に接続し、第２の出水口１０４ｃは、非常時に水道水をそのまま軟水出水口１０３に給水するようにバイパス給水路管１０６を介して出水水路管１０７に接続する。
【００２０】
通常給水路管１０５は、水道水を軟水化して給水するために、水流感応型のフロースイッチ１０８と軟水化給水電磁弁１０９と給水路管１１０を介して軟水化槽１１１の入水口１１１ａに接続し、この軟水化槽１１１の出水口１１１ｂを軟水給水路管１１２と軟水給水路逆止弁１１３を介して前記出水水路管１０７に接続することによって軟水化給水系を構成する。
【００２１】
前記軟水化槽１１１は、図３に示すように、縦長の円筒状の密閉容器１１１ｃ内の上端部に出水室１１１ｄを形成するように該密閉容器１１１ｃ内にイオン交換樹脂粒子を詰めてイオン交換樹脂粒子層１１１ｅを形成し、その先端にストレーナ１１１ｆを取り付けた給水管１１１ｇを前記イオン交換樹脂粒子層１１１ｅ内に埋没させて前記ストレーナ１１１ｆが前記密閉容器１１１ｃ内の底部近くに達するように挿し込み、その先端にストレーナ１１１ｈを取り付けた出水管１１１ｉを前記上端部の受水室１１１ｄ内に位置するように挿し込み、前記給水管１１１ｇの外端に前記入水口１１１ａを設け、前記出水管１１１ｉの外端に前記出水口１１１ｂを設けた形態に構成する。
【００２２】
通常給水路管１０５からは再生給水路管１１４を分岐させ、通水流量を制限するオリフィス１１５と再生給水電磁弁１１６を介して塩タンク１１７に水道水を給水し、この水道水が塩タンク１１７内を通過する間に該塩タンク１１７内の塩を溶かして生じた再生塩水を塩水路管１１８を介してエゼクタ（ジェットポンプ）１１９の低圧吸込み口１１９ａに供給する。このエゼクタ１１９の吐出口１１９ｂは、塩水給水路逆止弁１２０と再生塩水給水路管１２１を介して前記給水路管１１０に接続し、再生塩水を軟水化槽１１１に供給する流路を形成する再生系を構成する。
【００２３】
塩タンク１１７には、空気流入弁１２２を接続し、エゼクタ１１９における高圧噴射ノズル（流入口）１１９ｃは、排水電磁弁１２３とエゼクタ給水流路管１２４を介して前記通常給水路管１０５に接続することによって塩タンク１１７内の残水を吸い出して排出する残水排水系を構成する。
【００２４】
このような再生系と残水排水系における塩タンク１１７とエゼクタ１１９と空気流入弁１２２の具体的な構成を図４を参照して説明する。
【００２５】
塩タンク１１７は、基本的には、上端が開口した有底筒状体に形成した下ケース１１７ａと該下ケース１１７ａの上端の開口を塞ぐようにパッキング１１７ｂを介在させて気密状態に結合する上ケース１１７ｃによって１回の再生に要する塩を収容する程度の容積となるように構成する。下ケース１１７ａは、底壁に塩水出水口１１７ｄを備え、この底壁より僅かに高い位置に塩１２５を載置する塩フィルタ１１７ｅを内装し、側壁の上部に位置させて突設した水道水入水口１１７ｆに前記空気流入弁１２２を設ける。
【００２６】
空気流入弁１２２は、下ケース１１７ａにおける水道水入水口１１７ｆから突設した吸気筒部１２２ａの先端を開口させて水道水流入口１１７ｆの流路を外気に連通させ、ボール弁１２２ｂをばね１２２ｃによって開口方向に付勢した状態で吸気筒部１２２ａ内に収容し、この吸気筒部１２２ａの開口部に前記ボール弁１２２ｂを内側から当接させて漏水を阻止するようにボール受けパッキング１２２ｄを設置し、このボール受けパッキング１２２ｄを外側から押え込むように吸気筒部１２２ａの外端部に空気流入弁キャップ１２２ｅを嵌着した構成である。
【００２７】
上ケース１１７ｃは、塩ケース１１７内を上方に開口させるように突設した塩投入口１１７ｇを備え、この塩投入口１１７ｇの外端部には、パッキング１１７ｈを介在させて前記開口を密封するように嵌着する塩投入キャップ１１７ｉを着脱自在に設ける。
【００２８】
エゼクタ１１９は、エゼクタボディ１１９ｄに一体的に前記低圧吸込み口１１９ａと吐出口１１９ｂを形成し、前記高圧噴射ノズル１１９ｃを嵌着して構成する。
【００２９】
制御装置は、前記フロースイッチ１０８と制御回路基板１２６と操作盤１２７と直流電源１２８によって構成し、操作盤１２７からの指示入力に従って、軟水化給水電磁弁１０９，再生給水電磁弁１１６，排水電磁弁１２３を開閉操作し、フロースイッチ１０８からの検出信号を参照して動作状態を操作盤１２７に表示する制御処理を実行する。
【００３０】
このように機能する制御装置の具体的な構成を図５を参照して説明する。
【００３１】
制御回路基板１２６は、基本的には、マイクロコンピュータと負荷駆動回路によって構成する。マイクロコンピュータは、操作盤１２７からの指示入力に従って制御処理プログラムを実行し、フロースイッチ１０８からの検出信号を参照しながら軟水化給水電磁弁１０９，再生給水電磁弁１１６，排水電磁弁１２３を開閉操作し、操作盤１２７に動作状態を表示するように負荷駆動回路を制御する。
【００３２】
操作盤１２７は、軟水化給水運転指示ボタンスイッチ１２７ａと再生指示ボタンスイッチ１２７ｂと再生告知ランプ１２７ｃを実装して備え、軟水化給水運転指示ボタンスイッチ１２７ａや再生指示ボタンスイッチ１２７ｂからの指示入力信号を前記制御回路基板１２６のマイクロコンピュータに入力する。そして、軟水化槽１１１内のイオン交換樹脂粒子層１１１ｅを再生することが必要な状態になったときに制御回路基板１２６から出力される再生告知信号によって再生告知ランプ１２７ｃを点灯する。
【００３３】
直流電源１２８は、軟水器１００を任意の位置に簡単に設置することができるように乾電池（蓄電池）を使用する。
【００３４】
このような構成の軟水器１００における内部の構成部品配置構造を図６を参照して説明する。
【００３５】
軟水器１００は、基本的には、前述したような構成部品を軟水器外箱１２９内に収容するように配置して構成する。
【００３６】
三方弁１０４は、軟水器外箱１２９内の下部の側壁に近付けて設置し、その操作ハンドル１０４ｄを軟水器外箱１２９の側壁の下部に設けた窓穴１２９ａから箱外に突出させて外側から操作可能にする。また、この三方弁１０４の入水口１０４ａに連なる水道水受水口１０１は、軟水器外箱１２９の側壁の下部に設けた窓穴１２９ｂから箱外に突出するように設置する。
【００３７】
軟水化槽１１１は、入水口１１１ａと出水口１１１ｂを上側に位置させた縦長状態となるように設置し、軟水出水口１０３は、軟水器外箱１２９の側壁の上部に設けた窓穴１２９ｃから箱外に突出するように設置する。
【００３８】
塩タンク１１７は、軟水器外箱１２９の上壁に設けた窓穴１２９ｄから塩投入口１１７ｇを箱外に突出させて塩投入キャップ１１７ｉを外側から着脱操作して塩を投入することができるように該軟水器外箱１２９内の上部に位置させて設置する。
【００３９】
制御回路基板１２６は、直流電源１２８を一体化して軟水器外箱１２９の側壁の内側に取り付けるように設置する。
【００４０】
操作盤１２７は、軟水器外箱１２９の側壁の内側に取り付けるように設置し、軟水化給水運転指示ボタンスイッチ１２７ａと再生指示ボタンスイッチ１２７ｂを窓穴１２９ｅから箱外に突出または露出させて外側から操作可能な状態に構成し、再生告知ランプ１２７ｃを窓穴１２９ｆから箱外に突出または露出させて外側から視認可能な状態に構成する。
【００４１】
その他の構成部品は、軟水器外箱１２９内における前記構成部品の間の空間を利用して設置する。
【００４２】
このように構成した軟水器１００は、図１に示したような形態に設置した状態で使用される。この使用状態における軟水給水と再生について、図７（ａ），（ｂ）を参照して説明する。
【００４３】
通常は、三方弁１０４の入水口１０４ａと第１の出水口１０４ｂを結ぶ水路が形成される状態となるように該三方弁１０４の操作ハンド１０４ｄを操作しておく。
【００４４】
この状態において、操作盤１２７の軟水化給水運転指示ボタンスイッチ１２７ａが押されて指示入力信号が発生すると、制御回路基板１２６におけるマイクロコンピュータは、水道水を軟水化して給水する軟水給水制御状態となる。この軟水給水制御状態では、マイクロコンピュータは、図７の（ａ）に示すように、軟水化給水電磁弁１０９を開状態に制御し、再生給水電磁弁１１６と排水電磁弁１２３を閉状態に制御する。
【００４５】
従って、洗面器３に設けた止水栓５の操作レバー５ｃが開操作されると、水道給水管６の水道水が軟水器給水ホース１０２を通して軟水器１００の水道水受水口１０１に流入し、三方弁１０４の入水口１０４ａから第１の出水口１０４ｂに出て通常給水路管１０５に流入し、フロースイッチ１０８と軟水化給水電磁弁１０９と給水路管１１０を介して軟水化槽１１１の入水口１１１ａに流入する。
【００４６】
軟水化槽１１１の入水口１１１ａに流入した水道水は、給水管１１１ｇを通ってストレーナ１１１ｆからイオン交換樹脂粒子層１１１ｅ内の底部に流出し、イオン交換樹脂粒子層１１１ｅ内を上昇しながらイオン交換樹脂粒子に触れることによって硬度成分が吸着されて軟水化して出水室１１１ｄに至り、ストレーナ１１１ｈに流入して出水管１１１ｉを経て出水口１１１ｂから軟水化槽１１１外に流出する。
【００４７】
出水口１１１ｂから流出した軟水は、軟水給水路管１１２と軟水給水路逆止弁１１３を通して出水水路管１０７に至り、軟水出水口１０３からシャワー給水ホース９に供給されてシャワーヘッド８から噴出する。
【００４８】
そして、洗面器３に設けた止水栓５の操作レバー５ｃが閉操作されると、軟水器１００の水道水受水口１０１への水道水の流入が停止することによって、シャワーヘッド８からの軟水の噴出も停止する。
【００４９】
止水栓５が開いて軟水器１００に水道水が供給されると、フロースイッチ１０８から検出信号が出力されることから、制御回路基板１２６におけるマイクロコンピュータは、この検出信号が出力される時間を計測（積算）する。軟水給水状態における積算時間は、軟水化槽１１１における軟水化給水量を意味する。
【００５０】
マイクロコンピュータは、計測した積算時間が軟水化槽１１１におけるイオン交換樹脂粒子層１１１ｅの軟水化給水許容量に相当する設定時間と比較し、積算時間が設定時間に到達すると、再生告知信号を発生して操作盤１２７の再生告知ランプ１２７ｃを点灯する。
【００５１】
再生告知ランプ１２７ｃが点灯した状態は、軟水化槽１１１が水道水を正常に軟水化して給水することが困難な状態であることから、使用者は、再生操作を行う。
【００５２】
この再生操作は、洗面器３に設けた止水栓５の操作レバー５ｃを閉操作して軟水化給水を止めた状態で、塩タンク１１７の塩投入キャップ１１７ｉを外して塩投入口１１７ｇを開け、この塩投入口１１７ｇから塩タンク１１７内に塩１２５を投入して塩投入キャップ１１７ｉを嵌着して塩投入口１１７ｇを閉じ、再生指示ボタンスイッチ１２７ｂを押して指示入力信号を発生させる。再生指示ボタンスイッチ１２７ｂから指示入力信号が発生すると、制御回路基板１２６におけるマイクロコンピュータは、再生制御状態となる。この再生制御状態では、マイクロコンピュータは、図７の（ｂ）に示すように、軟水化給水電磁弁１０９と排水電磁弁１２３を閉状態に制御し、再生給水電磁弁１１６を開状態に制御して再生状態となる。
【００５３】
この再生状態において、洗面器３に設けた止水栓５の操作レバー５ｃを開操作すると、水道給水管６の水道水が軟水器給水ホース１０２を通して軟水器１００の水道水受水口１０１に流入し、三方弁１０４の入水口１０４ａから第１の出水口１０４ｂに出て通常給水路管１０５に流入し、この通常給水路管１０５から分岐した再生給水路管１１４からオリフィス１１５を通して通水流量を制限されながら再生給水電磁弁１１６を介して水道水入水口１１７ｆから塩タンク１１７内に流入する。
【００５４】
塩タンク１１７内に流入した水道水は該塩タンク１１７内の塩１２５を溶かして再生塩水となり、塩フィルタ１１７ｅを通過して塩水出水口１１７ｄから塩水路管１１８に水道水圧によって押し出され、エゼクタ１１９の低圧吸込み口１１９ａから吐出口１１９ｂを通過して塩水給水路逆止弁１２０と再生塩水給水路管１２１を介して給水路管１１０に流入し、軟水化槽１１１の入水口１１１ａに流入する。
【００５５】
軟水化槽１１１の入水口１１１ａに流入した再生塩水は、給水管１１１ｇを通ってストレーナ１１１ｆからイオン交換樹脂粒子層１１１ｅ内の底部に流出し、イオン交換樹脂粒子層１１１ｅ内を上昇しながらイオン交換樹脂粒子に触れることによって該イオン交換樹脂粒子の硬度成分吸着能力を回復させながら出水室１１１ｄに至り、ストレーナ１１１ｈに流入して出水管１１１ｉを経て出水口１１１ｂから軟水化槽１１１外に押し出されて流出する。
【００５６】
出水口１１１ｂから流出した再生塩水は、軟水給水路管１１２と軟水給水路逆止弁１１３を通して出水水路管１０７に至り、軟水出水口１０３からシャワー給水ホース９に供給されてシャワーヘッド８から洗面器３に排水する。
【００５７】
このような塩水による再生は、再生指示ボタンスイッチ１２７ｂから指示入力信号が発生してからの経過時間をマイクロコンピュータによって計測しながら実行する。そして、所定の再生設定時間（例えば、塩タンク１１７に投入した塩１２５が溶け尽きるような時間に設定する）が経過すると、マイクロコンピュータは、再生給水電磁弁１１６を閉じ、排水電磁弁１２３を開くように制御して塩タンク１１７内の残水を排出する残水排水状態となる。
【００５８】
残水排水状態では、通常給水路管１０５内の水道水は、エゼクタ給水流路管１２４から排水電磁弁１２３を通してエゼクタ１１９における高圧噴射ノズル（流入口）１１９ｃに流入して噴射し、低圧吸込み口１１９ａを負圧にして再生塩水を吸い出しながら吐出口１１９ｂに排水として流出し、塩水給水路逆止弁１２０と再生塩水給水路管１２１と給水路管１１０を介して軟水化槽１１１の入水口１１１ａに流入する。
【００５９】
軟水化槽１１１の入水口１１１ａに流入した排水は、給水管１１１ｇを通ってストレーナ１１１ｆからイオン交換樹脂粒子層１１１ｅ内の底部に流出し、イオン交換樹脂粒子層１１１ｅ内を上昇して出水室１１１ｄに至り、ストレーナ１１１ｈに流入して出水管１１１ｉを経て出水口１１１ｂから軟水化槽１１１外に押し出されて流出する。
【００６０】
出水口１１１ｂから流出した排水は、軟水給水路管１１２と軟水給水路逆止弁１１３を通して出水水路管１０７に至り、軟水出水口１０３からシャワー給水ホース９に供給されてシャワーヘッド８から洗面器３に排出する。
【００６１】
このような残水排水を継続することによって、塩タンク１１７内に残留する塩水（水道水）は、次第に吸い出されて減少し、残留塩水（残留水）の減少によって負圧状態になった塩タンク１１７内には、空気流入弁１２２から外気が流入してエゼクタ１１９による残留塩水の総てを排水可能にする。このような排水の継続時間は、塩タンク１１７内の残留塩水の総てが排水されるような所定の排水設定時間に設定する。そして、マイクロコンピュータは、排水経過時間を計測し、所定の排水設定時間が経過すると、排水電磁弁１２３を閉じ、軟水化給水電磁弁１０９を開くように制御して洗浄状態となる。塩タンク１１７内の残留塩水の総てを排水することによって、次の再生時に塩タンク１１７内に塩を投入するために該塩タンク１１７の塩投入キャップ１１７ｉを外して塩投入口１１７ｇを開けたときの漏水発生を防止することができる。
【００６２】
洗浄状態では、通常給水路管１０５の水道水は、フロースイッチ１０８と軟水化給水電磁弁１０９と給水路管１１０を介して軟水化槽１１１の入水口１１１ａに流入する。
【００６３】
軟水化槽１１１の入水口１１１ａに流入した水道水は、洗浄水として、給水管１１１ｇを通ってストレーナ１１１ｆからイオン交換樹脂粒子層１１１ｅ内の底部に流出し、イオン交換樹脂粒子層１１１ｅ内を上昇しながら軟水化槽１１１（イオン交換樹脂粒子層１１１ｅ）内を洗浄して出水室１１１ｄに至り、ストレーナ１１１ｈに流入して出水管１１１ｉを経て出水口１１１ｂから軟水化槽１１１外に押し出されて流出する。
【００６４】
出水口１１１ｂから流出した洗浄水は、軟水給水路管１１２と軟水給水路逆止弁１１３を通して出水水路管１０７に至り、軟水出水口１０３からシャワー給水ホース９に供給されてシャワーヘッド８から洗面器３に排水する。
【００６５】
このような洗浄の継続時間は、軟水化槽１１１内が洗浄されるような所定の洗浄設定時間に設定する。そして、マイクロコンピュータは、洗浄経過時間を計測し、所定の洗浄設定時間が経過すると、軟水化給水電磁弁１０９を閉じ、再生告知ランプ１２７ｃを消灯するように制御して洗浄終了状態とし、操作盤１２７の軟水化給水運転指示ボタンスイッチ１２７ａからの指示入力信号を監視する制御処理状態となる。
【００６６】
再生告知ランプ１２７ｃが消灯して洗浄終了状態になると、使用者は、水道水の給水を止めるように止水栓５の操作レバー５ｃを閉操作し、次の軟水化給水に備える。
【００６７】
何等かの不具合によって再生化給水不能に陥った非常状態では、三方弁１０４の入水口１０４ａと第２の出水口１０４ｃを結ぶ水路が形成される状態となるように該三方弁１０４の操作ハンド１０４ｄを操作する。この操作状態では、水道水受水口１０１から流入する水道水は、そのままバイパス給水路管１０６と出水水路管１０７を流れて軟水出水口１０３からシャワー給水ホース９に給水されてシャワーヘッド８から噴出する。
【実施例２】
【００６８】
実施例１における塩タンク１１７は、塩投入口１１７ｇを軟水器外箱１２９の外側に突出させて該軟水器外箱１２９の外側における操作で塩補充することができるように構成した。しかし、この塩タンク１１７は、内部の塩を溶かして生成した再生塩水を水道水圧によって押し出して軟水化槽１１１に供給する構成であり、更に、再生塩水供給後の塩タンク１１７内の残水は水道水圧を利用したエゼクタ１１９によって吸い出して排水する構成であることから、この塩タンク１１７は、軟水器外箱１２９内の任意の位置に設置することができる。
【００６９】
この実施例２は、図示説明は省略するが、塩タンク１１７の全体を軟水器外箱１２９内に収容するように該軟水器外箱１２９の手前側の側壁または上壁の内側に近付けて設置し、その塩投入口１１７ｇの近くの上壁または側壁に開閉自在な操作窓を設けることにより、軟水器外箱１２９の外側から塩投入キャップ１１７ｉを着脱操作して塩を投入することができるように構成するものである。
【図面の簡単な説明】
【００７０】
【図１】本発明の実施例１における軟水供給装置を設置した美容室の洗面設備の側面図である。
【図２】実施例１における軟水供給装置の配管図である。
【図３】実施例１の軟水供給装置における軟水化槽の縦断側面図である。
【図４】実施例１の軟水供給装置における再生給水系の配管構造図である。
【図５】実施例１の軟水供給装置における制御系のブロック図である。
【図６】実施例１の軟水供給装置における構成部品配置構造図である。
【図７】実施例１の軟水供給装置における軟水給水時のタイムチャート（ａ）と再生時のタイムチャート（ｂ）である。
【符号の説明】
【００７１】
３…洗面器、５…止水栓、８…シャワーヘッド、９…シャワー給水ホース、１００…軟水器、１０１…水道水受水口、１０２…軟水器給水ホース、１０３…軟水出水口、１０８…フロースイッチ、１０９…軟水化給水電磁弁、１１１…軟水化槽、１１２…軟水給水路逆止弁、１１６…再生給水電磁弁、１１７…塩タンク、１１９…エゼクタ、１１９ａ…低圧吸込み口、１１９ｂ…吐出口、１１９ｃ…高圧噴射ノズル、１２０…塩水給水路逆止弁、１２２…空気流入弁、１２６…制御回路基板、１２７…操作盤、１２７ａ…軟水化給水運転指示ボタンスイッチ、１２７ｂ…再生指示ボタンスイッチ、１２７ｃ…再生告知ランプ、１２９…軟水器外箱、１２９ａ〜１２９ｆ…窓穴。
【図１】
2005261991.tif 000003
【図２】
2005261991.tif 000004
【図３】
2005261991.tif 000005
【図４】
2005261991.tif 000006
【図５】
2005261991.tif 000007
【図６】
2005261991.tif 000008
【図７】
2005261991.tif 000009